(57)【要約】【課題】表示部を有する情報端末を長時間支持することが可能な保護カバー等を提供することを目的とする。【解決手段】表示部を備える情報端末の長尺状の保護カバー１００であって、保護カバー１００に設けられた窪み部１０と窪み部１０内に収納可能な把持部９とを備え、把持部９は、平板で形成され、保護カバー１００と略垂直方向に起立した場合にユーザにより把持される取っ手部３０と、取っ手部３０の保護カバー１００上での位置を規制する規制部２０とを有し、規制部２０は、板状に形成された平板部２２と、平板部２２の一辺に形成され、保護カバー１００の表面に対して平板部２２を９０度に折り曲げ可能な屈曲部２１と、平板部２２の他辺であって上記一辺と垂直方向に設けられた他辺に形成され、この他辺を軸に取っ手部３０を回動可能な回動部２３と、を有する。【選択図】図４
2015019167.tif 000002
【特許請求の範囲】
【請求項１】
表示部を備える情報端末の長尺状の保護カバーであって、
前記保護カバーに設けられた窪み部と、
前記窪み部内に収納可能な把持部とを備え、
前記把持部は、
平板で形成され、前記保護カバーに対して略垂直方向に起立した場合にユーザにより把持される取っ手部と、
前記取っ手部の前記保護カバー上での位置を規制する規制部とを有し、
前記規制部は、
板状に形成された平板部と、
前記平板部の一辺に形成され、前記保護カバーの上面に対して前記平板部を９０度に折り曲げ可能な屈曲部と、
前記平板部の他辺であって前記一辺と垂直方向に設けられた他辺に形成され、前記他辺を軸に前記取っ手部を回動可能な回動部と、を有する、
保護カバー。
【請求項２】
前記取っ手部は、前記保護カバーと略垂直方向に起立し、かつ、前記他辺を軸に回動された場合に、前記取っ手部における前記略垂直方向に起立した場合の底辺の一部が前記保護カバーと接することにより、前記略垂直方向の起立の状態を維持する、
請求項１に記載の保護カバー。
【請求項３】
前記取っ手部は、前記略垂直方向に起立した場合の底辺側に、前記底辺と垂直になる辺を有する切り欠き部が形成されており、
前記規制部は、前記切り欠き部に納まる形状で形成されており、
前記回動部は、前記取っ手部を前記切り欠き部の前記底辺で回動する、
請求項１または２に記載の保護カバー。
【請求項４】
前記切り欠き部は、前記底辺の中央部に形成されている、
請求項２に記載の保護カバー。
【請求項５】
前記屈曲部は、樹脂製のヒンジで形成されている、
請求項１〜４のいずれか１項に記載の保護カバー。
【請求項６】
前記回動部は、樹脂製のヒンジで形成されている、
請求項１〜５のいずれか１項に記載の保護カバー。
【請求項７】
前記保護カバーは、情報端末の筐体である、
請求項１〜６のいずれか１項に記載の保護カバー。
【請求項８】
表示部と、
長尺状の保護カバーと、を備え、
前記保護カバーは、
前記保護カバーに設けられた窪み部と、
前記窪み部内に収納可能な把持部と、を有し、
平板で形成され、前記保護カバーに対して略垂直方向に起立した場合にユーザにより把持される取っ手部と、
前記取っ手部の前記保護カバー上での位置を規制する規制部とを有し、
前記規制部は、
板状に形成された平板部と、
前記平板部の一辺に形成され、前記保護カバーの上面に対して前記平板部を９０度に折り曲げ可能な屈曲部と、
前記平板部の他辺であって前記一辺と垂直方向に設けられた他辺に形成され、前記他辺を軸に前記取っ手部を回動可能な回動部と、を有する、
情報端末。
【発明の詳細な説明】
【技術分野】
【０００１】
本発明は、保護カバーおよびそれを備えた情報端末に関する。
【背景技術】
【０００２】
近年、例えば電子書籍端末など情報端末が多く発売されている。どの情報端末も表示部にタッチパッドを使用し、不要なスイッチ類を排したシンプルなデザインとなっている。
【０００３】
特に、携行可能な情報端末では、携行中の情報端末への衝撃の保護を行うために、保護カバーを設けることが提案されている（例えば特許文献１）。
【０００４】
ここで、特許文献１の保護カバーを備える携行可能な情報端末の一例について説明する。
【０００５】
図１は、保護カバーが設けられた携行可能な情報端末の一例を示す図である。図１に示すように、携行可能な情報端末８００は、表示部８３０と額縁部８２０とを有し、例えば保護カバー８１０が背面に一体的に設けられている。
【０００６】
保護カバー８１０は、情報端末８００への衝撃の保護を行うために設けられたものであり、さらに、情報端末８００のスリムさを失わないように薄手に設けられている。
【先行技術文献】
【特許文献】
【０００７】
【特許文献１】特開２００８−２０９３５３号公報
【発明の概要】
【発明が解決しようとする課題】
【０００８】
しかしながら、従来の保護カバーは、衝撃の保護を行うために設けられているに過ぎない。例えば情報端末８００が電子書籍端末である場合、情報端末８００を用いて読書を行うとき、図２に示すようにユーザは指で情報端末８００の額縁部８２０を掴むという姿勢をとらざるを得ない。より具体的には、ユーザは、表示部８３０の表側を親指で、裏面を他の４本の指で挟んで情報端末８００を支える姿勢をとらざるを得ない。そのため、親指の幅を上回る額縁部８２０の幅が情報端末８００に確保されていればよいが、昨今では、額縁部８２０の幅は狭くなりつつあり、掴みづらくなっている。特に、スマートフォンのような小型の情報端末８００では、情報端末８００の両側面部を片手で挟むように持つことができるため、額縁部８２０は非常に狭くなっている。
【０００９】
このように、情報端末８００は額縁部８２０で掴んで支持されたり片持ちで支持されたりすることになるので、手に大きな負担がかかり、長時間文書を読むためなど情報端末８００を長時間支持することは難しいという課題がある。
【００１０】
また、情報端末が上記で説明したような小型でなく、１０インチ程度と比較的大型の表示部を有する情報端末９００であった場合には、ユーザは情報端末９００の背面全体を腕で支えて額縁部９２０等を掴んで支えるか、図３に示すように、指で額縁部９２０を掴むという姿勢をとらざるを得ない。
【００１１】
したがって、ユーザは額縁部９２０を挟んで情報端末９００を支持することになるので、長時間文書を読むためなど情報端末９００を長時間支持することは難しいという課題がある。
【００１２】
そこで、本発明は、上述の課題を解決するためになされたものであり、表示部を有する情報端末を長時間支持することが可能な保護カバー等を提供することを目的とする。
【課題を解決するための手段】
【００１３】
上記目的を達成するために、本発明の一態様に係る保護カバーは、表示部を備える情報端末の長尺状の保護カバーであって、前記保護カバーに設けられた窪み部と、前記窪み部内に収納可能な把持部とを備え、前記把持部は、平板で形成され、前記保護カバーに対して略垂直方向に起立した場合にユーザにより把持される取っ手部と、前記取っ手部の前記保護カバー上での位置を規制する規制部とを有し、前記規制部は、板状に形成された平板部と、前記平板部の一辺に形成され、前記保護カバーの上面に対して前記平板部を９０度に折り曲げ可能な屈曲部と、前記平板部の他辺であって前記一辺と垂直方向に設けられた他辺に形成され、前記他辺を軸に前記取っ手部を回動可能な回動部と、を有する。
【００１４】
この構成により、ユーザは、保護カバーに設けられ、保護カバー上で起立する取っ手部を持つことで、情報端末を片手で容易に支持できる。それにより、表示部を有する情報端末を長時間支持することが可能な保護カバーを実現することができる。
【００１５】
ここで、例えば、前記取っ手部は、前記保護カバーと略垂直方向に起立し、かつ、前記他辺を軸に回動された場合に、前記取っ手部における前記略垂直方向に起立した場合の底辺の一部が前記保護カバーと接することにより、前記略垂直方向の起立の状態を維持するとしても良い。
【００１６】
この構成により、取っ手部は、平板部の回動部により回動部を軸に回動する方向にのみ規制され、かつ、略垂直方向に起立した場合の底辺の一部が保護カバーに接触することで、起立の状態を維持することができる。
【００１７】
また、例えば、前記取っ手部は、前記略垂直方向に起立した場合の底辺側に、前記底辺と垂直になる辺を有する切り欠き部が形成されており、前記規制部は、前記切り欠き部に納まる形状で形成されており、前記回動部は、前記取っ手部を前記切り欠き部の前記底辺で回動するとしても良く、好ましくは、前記切り欠き部は、前記底辺の中央部に形成されている。
【００１８】
この構成により、取っ手部は、略垂直方向に起立した場合の底辺のうち２箇所で保護カバーに接することができるので、起立の状態をより安定して維持することができる。
【００１９】
また、例えば、前記屈曲部は、樹脂製のヒンジで形成されているとしても良い。
【００２０】
また、例えば、前記回動部は、樹脂製のヒンジで形成されているとしても良い。
【００２１】
これら構成により、低コストにより保護カバーを実現できる。
【００２２】
また、例えば、前記保護カバーは、情報端末の筐体であるとしても良い。
【００２３】
この構成により、保護カバーを、情報端末と一体に形成された筐体として実現することができる。
【００２４】
また、上記目的を達成するために、本発明の一態様に係る情報装置は、表示部と、長尺状の保護カバーと、を備え、前記保護カバーは、前記保護カバーに設けられた窪み部と、前記窪み部内に収納可能な把持部と、を有し、平板で形成され、前記保護カバーに対して略垂直方向に起立した場合にユーザにより把持される取っ手部と、前記取っ手部の前記保護カバー上での位置を規制する規制部とを有し、前記規制部は、板状に形成された平板部と、前記平板部の一辺に形成され、前記保護カバーの上面に対して前記平板部を９０度に折り曲げ可能な屈曲部と、前記平板部の他辺であって前記一辺と垂直方向に設けられた他辺に形成され、前記他辺を軸に前記取っ手部を回動可能な回動部と、を有する。
【発明の効果】
【００２５】
本発明によれば、表示部を有する情報端末を長時間支持することが可能な保護カバー等を実現できる。
【図面の簡単な説明】
【００２６】
【図１】保護カバーが設けられた携行可能な情報端末の一例を示す図である。
【図２】保護カバーが設けられた携行可能な情報端末を把持する姿勢の一例を示す図である。
【図３】保護カバーが設けられた携行可能な情報端末を把持する姿勢の一例を示す図である。
【図４】実施の形態に係る保護カバーの斜視図である。
【図５】実施の形態に係る取っ手部の平面図である。
【図６Ａ】実施の形態に係る保護カバーの把持部の起立状態を示す平面図である。
【図６Ｂ】図６Ａに示す保護カバーの一側面図であり、図６Ｃは図６Ａに示す保護カバーの他側面図である。
【図６Ｃ】図６Ａに示す保護カバーの他側面図である。
【図７】実施の形態に係る把持部の別の起立状態を示す斜視図である。
【図８Ａ】図７に示す把持部の起立状態における情報端末の正面図である。
【図８Ｂ】図８Ａに示す保護カバーを台に置いたときの側面図である。
【図９】実施の形態に係る把持部のさらに別の起立状態を示す斜視図である。
【図１０】図９に示す把持部の起立状態における情報端末の正面図の一例である。
【図１１Ａ】図９に示す把持部の起立状態における情報端末の正面図の一例である。
【図１１Ｂ】図１１Ａに示す保護カバー台に置いたときの側面図である。
【発明を実施するための形態】
【００２７】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２８】
（実施の形態）
［構成］
図４は、実施の形態に係る保護カバーの斜視図である。図５は、実施の形態に係る取っ手部の平面図である。また、図６Ａは実施の形態に係る保護カバーの把持部の起立状態を示す平面図である。図６Ｂは図６Ａに示す保護カバーの一側面図であり、図６Ｃは図６Ａに示す保護カバーの他側面図である。図７は実施の形態に係る把持部の別の起立状態を示す斜視図である。図８Ａは図７に示す把持部の起立状態における情報端末の正面図であり、図８Ｂは図８Ａに示す保護カバーを台に置いたときの側面図である。図９は実施の形態に係る把持部のさらに別の起立状態を示す斜視図である。図１０は図９に示す把持部の起立状態における情報端末の正面図の一例である。図１１Ａは図９に示す把持部の起立状態における情報端末の正面図の一例である。図１１Ｂは図１１Ａに示す保護カバーを台に置いたときの側面図である。
【００２９】
保護カバー１００は、表示部９１を備える情報端末９００の長尺状の保護カバーである。なお、保護カバー１００は、情報端末９００の筐体と一体になっていてもよいし、情報端末９００に取り付けられるとしてもよい。本実施の形態では、一例として、保護カバー１００は、情報端末９００と別体であり、情報端末９００に取り付けられるとして説明する。
【００３０】
保護カバー１００は、例えば樹脂で長尺状に成型されており、情報端末９００の背面部全体を覆うことで、情報端末９００を衝撃等から保護する。
【００３１】
保護カバー１００は、本体部８と、把持部９と、窪み部１０とで構成されている。
【００３２】
窪み部１０は、保護カバー１００に設けられ、より具体的には、窪み部１０は、保護カバー１００の本体部８に対して窪むように設けられている。また、窪み部１０は、保護カバー１００と一体形成（一体構成）されており、例えば情報端末９００など保護カバー１００以外が露出されることはない。
【００３３】
把持部９は、保護カバー１００に対して略垂直方向に起立した場合にユーザに把持される取っ手部３０と、取っ手部３０の保護カバー１００上での位置を規制する規制部２０とを備え、窪み部１０内に収納可能に形成されている。例えば図４に示す状態では、把持部９は、本体部８と同一平面に配置すなわち窪み部１０内に収納されている。また例えば図６Ａ〜図６Ｃに示す状態、並びに、図７および図９に示す状態では、把持部９は、把持部９すなわち規制部２０と取っ手部３０とが保護カバー１００から突出（起立）している。そして、この取っ手部３０を、ユーザが把持することで、保護カバー１００とともに保護カバー１００に取り付けられている情報端末９００を支持することができる。なお、本実施の形態では、窪み部１０は、保護カバー１００の中央よりも保護カバー１００の短手方向の辺に寄って（近づくように）設けられている。また、この窪み部１０は、保護カバー１００の長手方向または短手方向に対して斜めに設けられている。それにより、取っ手部３０が回動するスペースを確保している。
【００３４】
規制部２０は、屈曲部２１と、平板部２２と、回動部２３とを備え、取っ手部３０の保護カバー１００上での位置を規制する。本実施の形態では、規制部２０は、取っ手部３０に形成されている切り欠き部３１に納まる形状で形成されている。そのため、把持部９（規制部２０と取っ手部３０）が窪み部１０内に収納される場合、取っ手部３０の切り欠き部３１に規制部２０が収まることで取っ手部３０とともに規制部２０が窪み部１０内に収納される。
【００３５】
平板部２２は、板状に形成されている。
【００３６】
屈曲部２１は、平板部２２の一辺に形成されており、保護カバー１００の表面に対して平板部２２を９０度に折り曲げ可能とする。本実施の形態では、屈曲部２１は、保護カバー１００の長手方向と交差する平板部２２の一辺に設けられている。また、屈曲部２１は、製造コストの観点で樹脂製のヒンジで形成されていることが好ましいが、それに限られない。屈曲部２１は、複数個の金属や樹脂性部品で形成されるとしてもよい。
【００３７】
回動部２３は、平板部２２の他辺であって屈曲部２１が形成されている平板部２２の一辺と垂直方向に設けられた他辺に形成されている。回動部２３は、この他辺を軸に取っ手部３０を回動可能とする。本実施の形態では、回動部２３は、保護カバー１００の長手方向と交差する平板部２２の他辺であって屈曲部２１が形成されている平板部２２の一辺と垂直方向に設けられている。回動部２３は、取っ手部３０と切り欠き部３１の一辺で接合されており、取っ手部３０を切り欠き部３１の一辺で回動する。また、回動部２３は、製造コストの観点で樹脂製のヒンジで形成されていることが好ましいが、それに限られない。回動部２３は、複数個の金属や樹脂性部品で形成されるとしてもよい。
【００３８】
取っ手部３０は、平板状に形成される。取っ手部３０は、規制部２０とともに起立され、回動部２３で回動されることで、保護カバー１００上の位置が変更される。
【００３９】
本実施の形態では、取っ手部３０は、例えば図５に示すように略垂直方向に起立した場合の底辺側に、その底辺と垂直になる辺を有する切り欠き部３１が形成されている。この切り欠き部３１は、上記底辺と垂直となる１辺を有しており、この１辺で回動部２３と接合されている。取っ手部３０は、切り欠き部３１に規制部２０を収めることで規制部２０とともに窪み部１０内に収納される。
【００４０】
また、取っ手部３０は、例えば図７または図９に示すように、保護カバー１００（本体部８）に対して略垂直方向に起立し、かつ、回動部２３により平板部２２の他辺を軸に回動された場合には、取っ手部３０の底辺の一部（図で底部４１、底部４２の２箇所）が保護カバー１００と接するので、起立の状態を維持することができるだけでなく、回動部２３での回動を抑制（ロック）することができる。
【００４１】
［取っ手部の起立状態］
次に、取っ手部３０の起立状態について、図を用いて具体的に説明する。
【００４２】
図６Ａ〜図６Ｃおよび図７を用いて、保護カバー１００が取り付けられた情報端末９００の表示画面（表示部９１）をユーザが縦長で使用する態様での取っ手部３０の起立状態について説明する。
【００４３】
まず、把持部９（取っ手部３０および規制部２０）が、図４で示すように保護カバー１００に収納されている状態であるとする。
【００４４】
次に、把持部９すなわち規制部２０と取っ手部３０とを、規制部２０の屈曲部２１で９０度折り曲げ（屈曲させて）、保護カバー１００（本体部８）から起立させる。これにより、把持部９すなわち規制部２０と取っ手部３０とは、保護カバー１００の長手方向と交差する位置で、かつ、保護カバー１００（本体部８）に対して略垂直方向に起立した状態となる。
【００４５】
次に、ユーザは、取っ手部３０を例えば左手で掴み、回動部２３で、回動部２３を中心に反時計方向に４５度回動させる。そうすると、図６Ａ〜図６Ｃ及び図７に示すように、取っ手部３０は、保護カバー１００の長手方向と平行な位置で、かつ、保護カバー１００（本体部８）に対して略垂直方向に起立した状態となる。このとき、例えば図７に示すように、取っ手部３０の底部４１および底部４２は、保護カバー１００の表面（本体部８の表面）と接地しているので、取っ手部３０の起立状態を維持することができるとともに、回動部２３での回動を抑制（ロック）することができる。
【００４６】
そして、この起立状態の取っ手部３０をユーザの左手で把持することで、保護カバー１００が取り付けられた情報端末９００の表示部９１の表示画面を縦長で使用することができる。つまり、ユーザは情報端末９００の額縁部９０を掴むことなく、情報端末９００の裏面側（保護カバー１００）にある起立状態の取っ手部３０を掴む（支持する）ことで、情報端末９００の表示部９１（表示画面）を縦長で使用することができる。
【００４７】
ここで、情報端末９００の裏面側（保護カバー１００）にある起立状態の取っ手部３０を掴むことは、ちょうど雑誌の背の部分を掴むような感じとなり、たとえ表示画面が１０インチ程度と比較的大型であっても、ユーザの手に対する負担が少なく、長時間支持することが可能となる。
【００４８】
なお、取っ手部３０は、例えば図８Ａおよび図８Ｂに示すように、床や机等の台９１０でスタンドとして利用することができる。より具体的には、取っ手部３０を図６Ａ〜図６Ｃのように起立させた状態で、台９１０に置くことで情報端末９００の表示部９１を横長の状態で使用（画面操作や閲覧）することができる。情報端末９００を台９１０に対して浅い角度で傾斜した状態を保持できるのは、起立状態の取っ手部３０に対して傾斜による側圧を受けたとしても、取っ手部３０は規制部２０を介して保護カバー１００（本体部８）とつながっており強固に支えられているからである。
【００４９】
次に、図９および図１０を用いて、情報端末９００の表示画面（表示部９１）をユーザが横長で使用する態様での取っ手部３０の起立状態について説明する。
【００５０】
まず、例えば取っ手部３０が、例えば図６Ａ（図７）で示すような起立状態であり、ユーザはこの起立状態の取っ手部３０を左手で掴んでいるとする。
【００５１】
次に、ユーザは、この状態から右手で情報端末９００を反時計方向に回動させる。なお、情報端末９００が回動されたとしても、取っ手部３０は左手で掴まれているので、位置（ユーザの左手の位置）は変わらない。
【００５２】
より具体的には、まず、取っ手部３０が例えば図７に示す起立状態であったところ、回動部２３で、回動部２３を中心に回動することで、図９に示すような起立状態となる。図９に示す起立状態の取っ手部３０の保護カバー１００上の位置は、図６Ａに示す場所３０ａである。換言すると、回動部２３での回動角は図７で４５度であったのが図９で１３５度となっており、屈曲部の角度は図７に示す状態と同じく９０のままである。
【００５３】
このようにして、取っ手部３０は、保護カバー１００の短手方向と平行な位置で、かつ、保護カバー１００（本体部８）に対して略垂直方向に起立した状態となる。また、図９に示すように、取っ手部３０の底部４１および底部４２は保護カバー１００の表面（本体部８の表面）と接地しているので、取っ手部３０の起立状態を維持することができるとともに、回動部２３での回動を抑制（ロック）することができる。
【００５４】
そして、ユーザは、図１０に示すように、取っ手部３０を左手で掴むことで、保護カバー１００が取り付けられた情報端末９００の表示部９１の表示画面を横長で使用することができる。なお、図１０に示す取っ手部３０のユーザからみたときの位置は変化していない。これは、上述したように、ユーザが左手で取っ手部３０を掴んだ状態を維持したまま情報端末９００を縦長から横長に切り替えることができるからである。つまり、取っ手部３０の位置を固定されたまま、回動部２３を中心に保護カバー１００が取り付けられた情報端末９００が回転することができるので、ユーザは非常に快く回転させることができるからである。さらに、情報端末９００を回転させている間でも、底部４１と底部４２とは保護カバー１００と接触しており、回動部２３での回動を抑制（ロック）する機能が働いているので、ガタ付くこともなくスムーズに回転させることができる。
【００５５】
また、取っ手部３０は、例えば図１１Ａおよび図１１Ｂに示すように、床や机等の台９１０でスタンドとして利用することができる。より具体的には、取っ手部３０を図９のように起立させた状態で、台９１０に置くことで情報端末９００の表示部９１を縦長の状態で使用（画面操作や閲覧）することができる。情報端末９００を台９１０に対して浅い角度で傾斜した状態を保持できるのは、起立状態の取っ手部３０に対して傾斜による側圧を受けたとしても、取っ手部３０は規制部２０を介して保護カバー１００（本体部８）とつながっており倒れることなく強固に支えられているからである。
【００５６】
［効果］
以上のように、本実施の形態によれば、ユーザは、保護カバー１００に設けられ、保護カバー１００上で起立する取っ手部を持つことで、情報端末９００を片手で容易に支持できる。それにより、表示部９１を有する情報端末９００を長時間支持することが可能な保護カバーを実現することができる。
【００５７】
また、本実施の形態の保護カバー１００によれば、以下の効果も奏する。
（１）起立した取っ手部３０をユーザが片方の手で把持できるので、片手で重量物である保護カバー１００が取り付けられた情報端末９００を支えても手の負担が少ない。したがって、ユーザは、情報端末９００で長時間読書をしたり、ネットの視聴をしたりすることができる。
【００５８】
（２）ユーザは、取っ手部３０を一方の手で把持したまま、他方の手で表示部９１（表示画面）を９０度回転させることができるので、表示部９１（表示画面）を縦長または横長で使用する態様に簡単に切り替えることができる。
【００５９】
（３）取っ手部３０は、規制部２０の回動部２３を中心に９０度回動自在でありながら、どの姿勢でも取っ手部３０と保護カバー１００とは接触しているので、起立の状態を維持することができるだけでなく、回動部２３での回動を抑制（ロック）することができる。
【００６０】
（４）把持部９を保護カバー１００に収納するときは、保護カバー１００の本体部８と同一の平面になるので、収納状態の保護カバー１００は、最もコンパクトな平板状のシンプルなデザインを維持することができる。
【００６１】
（５）また、保護カバー１００の収納時は、平面的に情報端末９００の背面部をすべて覆っていることから、落下時や衝突時の保護の役目を奏する。
【００６２】
（６）情報端末９００を取っ手部３０で掴んで支えることができるので、情報端末９００の額縁部９０は極限まで小さくできる。
【００６３】
（７）把持部９は、保護カバー１００の中央よりも保護カバー１００の長手方向の辺および短手方向の辺に寄って（近づくように）設けられているので、表示部９１（表示画面）を縦長または横長で使用する態様において、取っ手部３０が中央よりも縦長または横長の端部に偏った位置で起立する。そのため、手で取っ手部３０を把持すると同時に腕で保護カバー１００を支えることができるので、保護カバー１００が取り付けられている少々重量のある情報端末９００でも手にかかる負担がすくない。つまり、長時間の読書等に耐えられるという効果を奏する。
【００６４】
以上、本発明の実施の形態に係る保護カバーおよびそれを備えた情報端末について説明したが、本発明は、この実施の形態に限定されるものではない。上記実施の形態及び上記変形例をそれぞれ組み合わせるとしても良い。
【００６５】
例えば、保護カバーは、情報端末の筐体であってもよい。すなわち、情報端末は保護カバーを筐体として備えていてもよい。より具体的には、本発明の情報端末は、表示部と、長尺状の保護カバーと、を備え、保護カバーは、前記保護カバーに設けられた窪み部と、前記窪み部内に収納可能な把持部と、を有し、平板で形成され、前記保護カバーに対して略垂直方向に起立した場合にユーザにより把持される取っ手部と、前記取っ手部の前記保護カバー上での位置を規制する規制部とを有し、前記規制部は、板状に形成された平板部と、前記平板部の一辺に形成され、前記保護カバーの上面に対して前記平板部を９０度に折り曲げ可能な屈曲部と、前記平板部の他辺であって前記一辺と垂直方向に設けられた他辺に形成され、前記他辺を軸に前記取っ手部を回動可能な回動部と、を有するとしてもよい。
【産業上の利用可能性】
【００６６】
本発明は、保護カバーおよびそれを備えた情報端末に利用でき、特に、１０インチ程度の比較的大型な表示部を備える電子書籍端末などの携行可能な情報端末に利用することができる。
【符号の説明】
【００６７】
８  本体部
９  把持部
１０  窪み部
２０  規制部
２１  屈曲部
２２  平板部
２３  回動部
３０  取っ手部
３０ａ  場所
３１  切り欠き部
４１、４２  底部
９０  額縁部
９１、８３０  表示部
１００、８１０  保護カバー
８００、９００  情報端末
８２０、９２０  額縁部
９１０  台
【図１】
2015019167.tif 000003
【図２】
2015019167.tif 000004
【図３】
2015019167.tif 000005
【図４】
2015019167.tif 000006
【図５】
2015019167.tif 000007
【図６Ａ】
2015019167.tif 000008
【図６Ｂ】
2015019167.tif 000009
【図６Ｃ】
2015019167.tif 000010
【図７】
2015019167.tif 000011
【図８Ａ】
2015019167.tif 000012
【図８Ｂ】
2015019167.tif 000013
【図９】
2015019167.tif 000014
【図１０】
2015019167.tif 000015
【図１１Ａ】
2015019167.tif 000016
【図１１Ｂ】
2015019167.tif 000017